(57)【要約】【課題】排出される蒸気が結露した水が床に落下することのない食器洗い機を提供する。【解決手段】洗浄槽（図示せず）へ外気を供給する給気手段（図示せず）と、洗浄槽内の蒸気を外部に排出する排気部１４と、動作を設定する操作部１５を設け、排気部１４の前面を操作部表面１５ａより突出しないようにし、さらに排気部１４の中央部１４ｃを、洗浄槽２側に凹んだ上面部１４ｄと下面部１４ｅおよび操作部１５の表面に略垂直な側面部１４ｆとで構成し、上面部１４ｄと下面部１４ｅに洗浄槽と連通する開口１４ａを複数設け、開口１４ａ間に結露水を受ける受け部１４ｇを形成したもので、開口１４ａからの蒸気が、上面部１４ｄと下面部１４ｅおよび側面部１４ｆに沿って前方に送り出され、外気に触れて結露し、それが水滴となって落下しても、受け部１４ｇで受け止められ、床面に落下することがない。【選択図】図２
2006034312.tif 000002
【特許請求の範囲】
【請求項１】
食器を洗浄する洗浄槽と、前記洗浄槽へ外気を供給する給気手段と、前記洗浄槽内の蒸気を外部に排出する排気部と、洗浄等の動作を設定する操作部を設け、前記排気部の前面を前記操作部の表面より突出しないようにし、さらに前記排気部の中央部を、前記洗浄槽側に凹んだ上面部と下面部および前記操作部の表面と略垂直な側面部とで構成し、前記上面部と前記下面部に前記洗浄槽と連通した開口を複数設け、前記開口間に結露水を受ける受け部を形成した食器洗い機。
【請求項２】
上面部に設ける開口を、前記上面部の上部以外の部分に設けた請求項１に記載の食器洗い機。
【請求項３】
上面部に設けた開口および受け部の位置と、下面部に設けた開口及び受け部の位置とを前後方向にずらした請求項１又は２に記載の食器洗い機。
【発明の詳細な説明】
【技術分野】
【０００１】
本発明は、食器洗い機に関するもので、特に流し台の収納スペースに設置されるビルトイン型の食器洗い機に関するものである。
【背景技術】
【０００２】
従来のこの種の食器洗い機について、図６及び７を用いて説明する。図６は、従来の食器洗い機の断面図で、図７は、同食器洗い機の排気部の拡大断面図である。
【０００３】
図６、７において、食器洗い機５に内蔵され、食器を洗浄する洗浄槽２の底部には加熱手段７が取り付けられている。加熱手段７によって約８０℃まで温められた洗浄水は給水手段１２によってノズル１３より勢いよく食器６に噴射される。乾燥時は、給気手段８によって外気が供給され、洗浄槽２内の蒸気９は、排気部１から排出されるようになっている。
【０００４】
排気部１には、洗浄槽２に連通する複数の垂直に配置した開口３ａを区画する排気口グリル３が取り付けられ、排気口グリル３の周囲には、前方に突出した上面部４ａ、下面部４ｂおよび側面部４ｃを有するフード４から構成されている（例えば、特許文献１参照）。
【特許文献１】特開平１１−５６７３６号公報
【発明の開示】
【発明が解決しようとする課題】
【０００５】
しかしながら、前記従来の食器洗い機の構成では、複数の垂直に配置した開口３ａから排出される蒸気が結露した水を、フード４を構成する上面部４ａや側面部４ｃで受け止めて下面部４ｂに導き最下の開口３ｂから本体内に流し込むようにしているのであるが、複数個の開口３ａから排出された蒸気９が結露した水１０をわずか１ケの開口３ｂで、全て吸入したり、突出したフード４の上面部４ａや側面部４ｃに付着した水が必ず面上に沿っ下面部４ｂに流れ落ちることは難しく、水１０が床面（図示せず）等に落下して床面等を濡らすといった課題を有していた。
【０００６】
さらに、フード４が前面に突出していることから美観を損なうだけでなく、台所での作業時や移動時に、衣服の一部が引っ掛かるなど障害になるといった課題も有していた。
【０００７】
本発明は、前記従来の課題を解決するもので、排気部の開口から排出された蒸気が結露して生じた水が床面等に落下するのを確実に防止し、美観にも優れ、また台所での作業や通行を妨げない食器洗い機を提供することを目的とする。
【課題を解決するための手段】
【０００８】
前記従来の課題を解決するために、本発明の食器洗い機は、食器を洗浄する洗浄槽と、前記洗浄槽へ外気を供給する給気手段と、前記洗浄槽内の蒸気を外部に排出する排気部と、洗浄等の動作を設定する操作部を設け、前記排気部の前面を前記操作部の表面より突出しないようにし、さらに前記排気部の中央部を、前記洗浄槽側に凹んだ上面部と下面部および前記操作部の表面と略垂直な側面部とで構成し、前記上面部と前記下面部に前記洗浄槽と連通した開口を複数設け、前記開口間に結露水を受ける受け部を形成したもので、洗浄槽から送り出された蒸気が開口より排出される際、排気部を構成する上面部と下面部および側面部に沿って前方に送り出されることになり、開口から排出された蒸気は外気に触れて結露するが、それぞれの開口下に形成された受け部によって結露した水は受け止められ、結露した水が床面等に落下して床面等を濡らすとことを防止することができる。また、排気部前面を操作部の表面より突出しないようにしたことにより、排気部が食器洗い機より前面に突き出ることはなく、美観的に優れるだけでなく、台所での作業時や通行時にそれに衣服を引っ掛けるなど障害となることもない。
【発明の効果】
【０００９】
本発明の食器洗い機は、開口から排出された蒸気が外気に冷やされてえて結露して水となっても、下面部の開口間に設けられた受け部が下方位置ほどしだいに前方に伸びた形状となっていることから、確実に水を受け止めることができ、水が落下して床面等を濡らすとことがない。
【発明を実施するための最良の形態】
【００１０】
第１の発明は、食器を洗浄する洗浄槽と、前記洗浄槽へ外気を供給する給気手段と、前記洗浄槽内の蒸気を外部に排出する排気部と、洗浄等の動作を設定する操作部を設け、前記排気部の前面を前記操作部の表面より突出しないようにし、さらに前記排気部の中央部を、前記洗浄槽側に凹んだ上面部と下面部および前記操作部の表面と略垂直な側面部とで構成し、前記上面部と前記下面部に前記洗浄槽と連通した開口を複数設け、前記開口間に結露水を受ける受け部を形成したもので、洗浄槽から送り出された蒸気が開口より排出される際、排気部を構成する上面部と下面部および側面部に沿って前方に送り出されることになり、開口から排出された蒸気は外気に触れて結露するが、それぞれの開口下に形成された受け部によって結露した水は受け止められ、結露した水が床面等に落下して床面等を濡らすとことを防止することができる。また、排気部前面を操作部の表面より突出しないようにしたことにより、排気部が食器洗い機より前面に突き出ることはなく、美観的に優れるだけでなく、台所での作業時や通行時にそれに衣服を引っ掛けるなど障害となることもない。
【００１１】
第２の発明は、特に、第１の発明の上面部に設ける開口を、前記上面部の上部以外の部分に設けたもので、開口から排出された温かい蒸気は上方の上面部に沿って流れ出していくが、上面部の上部には開口を設けず、上面部の開口位置と排気部の前面を離していることから、上面部の開口から排出された勢いのある蒸気は上面部に沿いながら冷やされて結露し、上面部から落下しても下面部の受け部によって確実に受け止められるので、水が床面等に落下して床面等を濡らすことを防止することができる。
【００１２】
第３の発明は、特に、第１又は第２の発明の上面部に設けた開口および受け部の位置と、下面部に設けた開口及び受け部の位置とを前後方向にずらしたもので、上面部に設けた開口から排出された蒸気が外気で冷やされて結露し水となるが、上面部の開口間に設けた受け部で水を受け止めることができずに落下しても、下面部の受け部がずれた位置にあることから、下面部の受け部が落下してきた水を確実に受け止めることができることから、水が床面等に落下して床面等を濡らすことを防止することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における食器洗い機の断面図で、図２は、同食器洗い機の設置時の斜視図で、図３は、同食器洗い機の排気部の拡大断面図である。なお、上記従来例と同一部分については、同一符号を付してその説明を省略する。
【００１５】
図１〜図３において、食器洗い機１１の洗浄槽２の底部には加熱手段７が取り付けられている。加熱手段７によって温められた水は給水手段１２によってノズル１３より勢いよく食器６に噴射される。乾燥時は給気手段８によって外気が供給され、洗浄僧２内の蒸気を排気部１４に設けた開口１４ａから排出する。１５は、食器洗い機を運転する際に操作する操作部である。
【００１６】
排気部１４の前面１４ｂは操作部表面１５ａと同一面上に形成し、排気部１４の中央部１４ｃを、洗浄槽２側に凹んだ上面部１４ｄと下面部１４ｅおよび操作部表面１５ａと垂直な側面部１４ｆから構成し、上面部１４ｄと下面部１４ｅには複数個の開口１４ａを設け、開口１４ａ間には受け部１４ｇを形成したものであり、排気部１４は洗浄槽２、給気手段８や操作部１５と有機的に関連して構成されている。
【００１７】
以上のように構成された食器洗い機１１について、以下その動作、作用を説明する。
【００１８】
まず、洗浄槽２内に洗浄する食器６を入れ、操作部１５で運転動作を設定すれば給水手段１２によって洗浄槽２内に給水したり、ノズル１３から勢いよく水を噴射して食器６を洗浄する。この時、食器６についた汚れを落ちやすくするために、加熱手段７で水を温めて食器６に噴射するようにしている。
【００１９】
洗浄後の乾燥時には、給気手段８が動作して外気を供給して、洗浄槽２内の食器６を乾燥するが、洗浄槽２内の蒸気９が排気部１４に形成された開口１４ａより排出されていくが、蒸気９は排気部１４の上面部１４ｄ、下面部１４ｅおよび側面部１４ｆに沿って勢いよく前方へ流れていく。排出された蒸気９は外気に触れて結露することになるが、各開口１４ａ間に設けられた受け部１４ｇで結露した水１０を受け止めることができる。
【００２０】
以上のように、本実施の形態によれば、排気部１４の中央部１４ｃを洗浄槽２側に凹んだ上面部１４ｄと下面部１４ｅに開口１４ａを設け、各開口１４ａ間に受け部１４ｇを形成したことにより、上面部１４ｄから落下した水１０は、下面部１４ｅに設けた受け部１４ｇで受け止められ、洗浄槽２内から排出された蒸気９が結露した水１０を確実に受け止めることができ、床面１６等を濡らすことを防止することができる。また、前面１４ｂを操作部表面１５ａと同一面上に形成したことから台所での作業時や通行時に障害となることを防止することができる。なお、前面１４ｂを操作部表面１５ａより内方に位置させても良く、要は、前面１４ｂを操作部表面１５ａより突出させないようにするとよい。
【００２１】
（実施の形態２）
図４は、本発明の第２の実施の形態における食器洗い機の排気部の断面図を示すものである。なお、上記実施の形態と同一部分については、同一符号を付してその説明を省略する。
【００２２】
本実施の形態は、図４に示すように、排気部１４の上面部１４ｄに形成する開口１４ａを、上面部１４ｄの上部（範囲Ｌの部分）以外の部分に形成するようにしたもので、他の構成は、上記第１の実施の形態１と同じである。
【００２３】
以上のように構成された、食器洗い機の動作、作用を説明する。
【００２４】
排気部１４の上面部１４ｄに形成する開口１４ａを、上部以外の部分に形成したことにより、加熱手段７によって温められた蒸気９の多くは上面部１４ｄに沿って流れ出ていくが、開口１４ａと排気部１４の前面１４ｂとが離れているので、蒸気９は上面部１４ｄに沿いながら冷やされて結露することになる。
【００２５】
以上のように、本実施の形態によれば、上面部１４ｄで結露した水１０が上面部１４ｄから落下しても、下面部１４ｅに設けた受け部１４ｇで確実に受け止められ、水１０が床面１６等に落下して床面１６等を濡らすことを防止することができる。
【００２６】
（実施の形態３）
図５は、本発明の第３の実施の形態における食器洗い機の排気部の拡大断面図を示すものである。なお、上記実施の形態と同一部分については、同一符号を付してその説明を省略する。
【００２７】
本実施の形態は、図５に示すように、排気部１４を構成する上面部１４ｄと下面部１４ｅの夫々に設けた開口１４ａと受け部１４ｇの位置を、上面部１４ｄと下面部１４ｅで前後方向にずらすようにしたものである。具体的には、図５に示すように、上面部１４ｄの開口１４ａの開口位置Ｋ１とすると、下面部１４ｅの開口１４ａの開口位置Ｋ２を、開口位置Ｋ１より前側にずらしている。
【００２８】
以上のように構成された食器洗い機の動作、作用を説明する。
【００２９】
排気部１４の上面部１４ｄに形成された開口１４ａから排出された蒸気９が外気で冷やされて結露した水１０が、上面部１４ｄから落下しても、下面部１４ｅに形成した受け部１４ｇが前後方向にずれた位置になっており、しかも開口位置が、上面部１４ｄのそれより前側に位置しているので、下面部１４ｅの受け部１４ｇは落下してきた水１０を確実に受け止めることができる。
【００３０】
以上のように、本実施の形態によれば、上面部１４ｄで結露した水１０が落下してきても、下面部１４ｅに設けた受け部１４ｇで確実に受け止めることができることから、水１０が床面１６等に落下して床面１６等を濡らすことを防止することができる。
【産業上の利用可能性】
【００３１】
以上のように、本発明にかかる食器洗い機は、蒸気が結露して水が床面等に落下し床面等を濡らすことを防止することができるもので、ビルトイン型電熱装置付き高周波加熱装置等の用途にも適用できる。
【図面の簡単な説明】
【００３２】
【図１】本発明の実施の形態１における食器洗い機の断面図
【図２】同食器洗い機の設置時の斜視図
【図３】同排気部の拡大断面図
【図４】本発明の実施の形態２における食器洗い機の排気部の拡大断面図
【図５】本発明の実施の形態３における食器洗い機の排気部の拡大断面図
【図６】従来例の食器洗い機の断面図
【図７】同食器洗い機の排気部の断面図
【符号の説明】
【００３３】
２    洗浄槽
７    加熱手段
８    給気手段
１４ａ  開口
１４ｂ  前面
１４ｃ  中央部
１４ｄ  上面部
１４ｅ  下面部
１４ｆ  側面部
１４ｇ  受け部
１５    操作部
１５ａ  操作部表面
【図１】
2006034312.tif 000003
【図２】
2006034312.tif 000004
【図３】
2006034312.tif 000005
【図４】
2006034312.tif 000006
【図５】
2006034312.tif 000007
【図６】
2006034312.tif 000008
【図７】
2006034312.tif 000009